(57)【特許請求の範囲】
【請求項１】
原稿台の中央部を山形の境界にして左右平面に傾斜した左右原稿台に形成し、この左右原稿台は原稿台の中央部を対称にして傾斜角度を変更可能な構造に形成し、この左右原稿台の下方から照射しながら左右原稿台に沿って平行移動する光源を設け、この光源のカバー左上端部に右第１反射鏡を回動自在構造に取付け、これと対称位置のカバー右上端部に左第１反射鏡を回動自在構造に取付け、上記右原稿台に対応するように固定構造の右第２反射鏡、右第３反射鏡及び右第４反射鏡をそれぞれ配置し、これらと対称位置に上記左原稿台に対応するように固定構造の左第２反射鏡、左第３反射鏡、及び左第４反射鏡をそれぞれ配置し、上記光源と左右の第１反射鏡は、スキャンモータ及びスライダによって左右の原稿台に沿って平行移動するように形成し、厚手の綴本原稿を複写する際には、被複写面を下向きに開いて中央綴じ部近傍の中折れ部を原稿台の山形の境界の中央部に一致させ、右被複写面を右原稿台に合わせかつ左被複写面を左原稿台に合わせて、左右被複写面及び中折れ部近傍の全面を左右原稿台表面に密着させた状態に載置し、上記光源によって照射された右被複写面は、右第１反射鏡、右第２反射鏡、右第３反射鏡、右第４反射鏡を介して感光体ドラムに露光し、また上記光源によって照射された左被複写面は、左１反射鏡、左第２反射鏡、左第３反射鏡、左第４反射鏡を介して感光体ドラムに露光し、このように上記光源によって照射された綴本原稿の左右の影像を、別々の光路を経て上記感光体ドラム上へ露光して複写を行うように形成したことを特徴とする綴本用複写機。
【発明の詳細な説明】
【０００１】
【発明の属する技術分野】
この発明は、厚手の綴本原稿の左右見開きページ間、つまり中央綴じ部近傍の中折れ部をも鮮明に複写できるようにした綴本用複写機に関するものである。
【０００２】
【従来の技術】
図５に基づいて、従来一般的な複写機の概略構造と複写工程の概略について説明する。ガラスなど透光性材料よりなる水平面の原稿台２１上に、被複写面２５を下向きに開いた綴本原稿２３を載置する。この原稿台２１の下方から、蛍光ランプ、ハロゲンランプなどよりなる光源２６によって、上記綴本原稿２３の被複写面２５を照射する。この光源２６は、図の右側方向からスキャンモータ（図示省略）とスライダ（図示省略）によって平行移動するように形成されており、この光源２６の近部に設けられかつ光源２６とともに移動する第１反射鏡２７で、上記光源２６によって照射された被複写面２５の反射光、つまり影像を受けて反射させ、続いて、固定された第２反射鏡２８、固定された第３反射鏡２９に順次受けて反射して、感光体ドラム３１の表面に露光される。なお、この感光体ドラム３１では、次の○１〜○６の工程によって複写が行われる。○１帯電性・光電性を有するセレン・テレル系などの感光体よりなる感光体ドラム３１の表面に、コロナ帯電器（図示省略）によって電荷を帯電する。○２帯電した電荷に原稿の影像を露光し、静電的な電荷の像、静電潜像を形成する。○３現像器（図示省略）によって、カーボンと磁性粉を含有するスチレン・アクリル系樹脂などよりなる帯電微粒子のトナー（図示省略）を感光体ドラム３１表面上に付着させる。○４このトナー画像を記録紙３０に転写器（図示省略）で転写する。○５定着器（図示省略）によって、記録紙３０に圧延、熱定着し複写像３２を得る。○６除電器（図示省略）で感光体ドラム３１表面を除電し、クリーナ（図示省略）でクリーニングする。
【０００３】
【発明が解決しようとする課題】
図５に示すように、綴本原稿２３の被複写面２５Ａ，ａ，Ｂ，ｂは、記録紙３０の複写像３２Ａ，ａ，Ｂ，ｂに対応しているが、水平面の原稿台２１上に載置された厚手の綴本原稿２３では、左右見開きページ間、つまり中央綴じ部近傍の中折れ部２４は、湾曲して原稿台２１表面に密着することなく、浮き上がり部２２が生じやすい。この浮き上がり部２２の被複写面２５ａ，ｂには、光源１３からの光りが充分到達することなく、また焦点が定まらないために、対応する複写面３２のａ，ｂは、黒くなったり、ぼやけたり、歪んだりして、明るく鮮明に複写されなかった。
【０００４】
また、上記のような厚手の綴本原稿２３を原稿台１に密着させるために、強い力で無理矢理に開いて強く押し付けると、綴本原稿２３の中央綴じ部、中折れ部２４を損傷することがあった。また、厚手の綴本原稿２３を何ページも多量に複写する場合には、繰り返して強い力で押し広げるために手や腕が疲れたり、複写の作業能率が低下したりすることがあった。
【０００５】
また、厚手の綴本原稿２３の左右見開きページ間、つまり中央綴じ部近傍の中折れ部２４を鮮明に複写するために、綴本を上向きに載置し、その上方から撮影し複写するようにした複写機もあるが、このような厚手の綴本用の複写機は、湾曲面の距離を計測して焦点を調節し明るさも均一に調節するなど、種々の制御、補正機能を付加しているため、機器が大きく複雑となり、高価な複写機となってしまうなどの問題があった。
【０００６】
この発明は、上述の従来技術が有する課題に鑑みてなされたもので、厚手の綴本原稿の中央綴じ部近傍の中折れ部をも、原稿台に密着させた状態で載置して、鮮明に複写できる綴本用複写機を提供するものである。
【０００７】
【課題を解決するための手段】
この発明に係る綴本用複写機は、原稿台の中央部を山形の境界にして左右平面に傾斜した左右原稿台に形成し、この左右原稿台は原稿台の中央部を対称にして傾斜角度を変更可能な構造に形成し、この左右原稿台の下方から照射しながら左右原稿台に沿って平行移動する光源を設け、この光源のカバー左上端部に右第１反射鏡を回動自在構造に取付け、これと対称位置のカバー右上端部に左第１反射鏡を回動自在構造に取付け、上記右原稿台に対応するように固定構造の右第２反射鏡、右第３反射鏡及び右第４反射鏡をそれぞれ配置し、これらと対称位置に上記左原稿台に対応するように固定構造の左第２反射鏡、左第３反射鏡、及び左第４反射鏡をそれぞれ配置し、上記光源と左右の第１反射鏡は、スキャンモータ及びスライダによって左右の原稿台に沿って平行移動するように形成し、厚手の綴本原稿を複写する際には、被複写面を下向きに開いて中央綴じ部近傍の中折れ部を原稿台の山形の境界の中央部に一致させ、右被複写面を右原稿台に合わせかつ左被複写面を左原稿台に合わせて、左右被複写面及び中折れ部近傍の全面を左右原稿台表面に密着させた状態に載置し、上記光源によって照射された右被複写面は、右第１反射鏡、右第２反射鏡、右第３反射鏡、右第４反射鏡を介して感光体ドラムに露光し、また上記光源によって照射された左被複写面は、左１反射鏡、左第２反射鏡、左第３反射鏡、左第４反射鏡を介して感光体ドラムに露光し、このように上記光源によって照射された綴本原稿の左右の影像を、別々の光路を経て上記感光体ドラム上へ露光して複写を行うように形成したものである。
【０００８】
【発明の実施の形態】
図１乃至図３に基づいて、この発明の綴本用複写機の実施形態例について説明する。
【０００９】
原稿台１の中央部２を山形の境界にして左右対称な平面に傾斜させて、右原稿台１Ａと左原稿台１Ｂを形成する。この左右原稿台１Ａ，１Ｂの下方から照射しながら左右原稿台１Ａ，１Ｂに沿って平行移動する光源６を設ける。この光源６によって照射された綴本原稿３の左右の影像を、反射鏡、プリズム、レンズなどによって、左右別々の光路を経て感光体ドラム１１上へ露光して複写するように形成する。
【００１０】
図１に示す実施形態例は、複数の反射鏡を設けて左右別々の光路を形成したものである。上記光源６のカバー左上端部に右第１反射鏡７Ａを回動自在構造に取付け、これと対称位置のカバー右上端部に左第１反射鏡７Ｂを回動自在構造に取付ける。また、上記右原稿台１Ａに対応するように、固定構造の右第２反射鏡８Ａ、右第３反射鏡９Ａ、及び右第４反射鏡１０Ａをそれぞれ配置し、これらと対称位置に、上記左原稿台１Ｂに対応するように、固定構造の左第２反射鏡８Ｂ、左第３反射鏡９Ｂ、及び左第４反射鏡１０Ｂをそれぞれ配置する。また、上記光源６と左右の第１反射鏡７Ａ，７Ｂは、スキャンモータ（図示省略）及びスライダ（図示省略）によって、左右の原稿台１Ａ，１Ｂに沿って平行移動するように形成する。
【００１１】
図１に示すように、厚手の綴本原稿３を複写する際には、被複写面５を下向きに開いて、中央綴じ部近傍の中折れ部４を原稿台１の山形の境界の中央部２に一致させ、右被複写面５Ａを右原稿台１Ａに合わせ、かつ左被複写面５Ｂを左原稿台１Ｂに合わせて、左右被複写面５Ａ，Ｂ及び中折れ部４近傍の全面を左右原稿台１Ａ，Ｂ表面に密着させた状態に載置する。光源６によって照射された右被複写面５Ａは、実線の光路に示すように、右第１反射鏡７Ａ、右第２反射鏡８Ａ、右第３反射鏡９Ａ、右第４反射鏡１０Ａを介して、感光体ドラム１１に露光される。また、光源６によって照射された左被複写面５Ｂは、一点鎖線の光路に示すように、左１反射鏡７Ｂ、左第２反射鏡８Ｂ、左第３反射鏡９Ｂ、左第４反射鏡１０Ｂを介して、感光体ドラム１１に露光される。なお、感光体ドラム１１での複写工程○１，○２，○３，○４，○５，○６は、従来技術と同様に行われる。このようにして、厚手の綴本原稿３の左右被複写面５Ａ，Ｂ及び中折れ部４は、記録紙２０上に左右複写像１２Ａ，Ｂ及び中央部１４が、均一な濃度で鮮明に複写される。
【００１２】
図２に基づいて複写工程を、さらに詳述する。（工程１）綴本原稿３を下向きに開いて、中央綴じ部近傍の中折れ部４を原稿台１の山形の境界の中央部２に一致させ、右被複写面５Ａを右原稿台１Ａに合わせ、かつ左被複写面５Ｂを左原稿台１Ｂに合わせて、綴本原稿３の自重を利用して密着させた状態に載置する。（工程２）記録紙２０のサイズ選定など、複写条件を設定する。（工程３）スイッチをオンにして、（工程４）光源６及び第１反射鏡７Ａ，７Ｂを一体として、例えば右原稿台１Ａから左原稿台１Ｂに沿ってそれぞれ平行に移動させる。（工程５）綴本原稿３の右被複写面５Ａの端縁をセンサ（図示省略）にて検知し、光源６のスイッチがオンとなって点灯し、（工程６）原稿台１Ａ上、右被複写面５Ａを照射し、中央部２までの間を光源６及び右第１反射鏡７Ａが移動して、右被複写面５Ａの複写を行う。（工程７）原稿台１の中央部２をセンサ（図示省略）にて検知し、この位置に到着した際に、右第１反射鏡７Ａから左第１反射鏡７Ｂに切り替える。（工程８）再び光源６及び左第１反射鏡７Ｂが走行移動して、左被複写面５Ｂの複写を行う。（工程９）左被複写面５Ｂの終端縁をセンサ（図示省略）にて検知し、光源６のスイッチがオフとなって消灯する。（工程１０）光源６及び第１反射鏡７Ａ，７Ｂは初めの位置に戻り、リセットされる。（工程１１）綴本原稿３を除去して複写を終了する。
【００１３】
図３に基づいて、この発明の綴本用複写機の実施形態例についてさらに説明する。原稿台１の中央部２を中心にして、左右原稿台１Ａ，１Ｂ、及びその下部の左右第１反射鏡７Ａ，７Ｂ、左右第２反射鏡８Ａ，８Ｂ、左右第３反射鏡９Ａ，９Ｂ、左右第４反射鏡１０Ａ，１０Ｂの全体を、左右対称の開き角度Ｘに回動自在構造に形成し、この開き角度Ｘは変化させて自在に調整できるようにしたものである。この構造では、種々厚さの異なる綴本原稿３の綴じ部近傍の中折れ部４の開き易さなどに対応して、左右原稿台１Ａ，１Ｂの開き角度Ｘを自在に調整し、容易に密着させることができるため、厚さが種々異なる綴本原稿３の綴じ部などの損傷を防止することができるとともに、複写作業の能率をより向上することができる。また、開き易い綴本原稿３、中折れ部に文字などがない綴本原稿３、或いは平坦な原稿などを通常に複写する際には、左右原稿台１Ａ，１Ｂの開き角度Ｘを１８０度に設定し水平な原稿台１として、通常の光路、いずれか一方の光路を経由して複写を行う。
【００１４】
図４に基づいて、原稿載せ台を使用した比較例について説明する。左右原稿台は、中央山部１５を対称にして原稿載せ面１４Ａ，１４Ｂと、両端縁の設置部１６，１６と、下部に側断面二等辺三角形状の空間部１７を有する原稿載せ台１３に形成する。この原稿載せ台１３は、水平な原稿台１上に載置したり、原稿台１から取外しできるように着脱自在構造に形成している。なお、光源６及び反射鏡（図示省略）は、図の矢印のように原稿載せ台１３に沿って移動させる。この綴本用複写機は、下部の原稿台１が水平なため、複写機の機構や構造は簡素化されて経済的な複写機となる。また原稿載せ台１３を除去して水平な原稿台１として、下部の反射鏡なども水平原稿を複写するように設定して使用することができる。
【００１５】
また、図示省略するが、左右原稿台の角度を自在にするように、原稿載せ面の傾斜角度を変更させる原稿載せ台を用いるようにしてもよい。この角度変更自在な原稿載せ台は、通常は原稿台から取外し水平な原稿台として使用するとともに、綴本原稿を複写する際には、綴本の開き角度に対応して原稿載せ面の傾斜角度を自在に設定し簡便に使用する。
【００１６】
【発明の効果】
叙述の説明で明らかなように、この発明に係る綴本用複写機は、原稿台の中央部を山形の境界にして傾斜した左右原稿台に形成し、この左右原稿台は原稿台の中央部を対称にして傾斜角度を変更可能な構造に形成し、この左右原稿台に沿って平行移動する光源を設け、この光源のカバー左上端部に右第１反射鏡を回動自在構造に取付け、これと対称位置のカバー右上端部に左第１反射鏡を回動自在構造に取付け、上記右原稿台に対応するように固定構造の右第２反射鏡、右第３反射鏡及び右第４反射鏡をそれぞれ配置し、これらと対称位置に上記左原稿台に対応するように固定構造の左第２反射鏡、左第３反射鏡、及び左第４反射鏡をそれぞれ配置し、上記光源と左右の第１反射鏡は、スキャンモータ及びスライダによって左右の原稿台に沿って平行移動するように形成し、上記光源によって照射された綴本原稿の左右の影像を、別々の光路を経て感光体ドラム上へ露光して複写を行うように形成したので、綴本原稿の厚さと開き易さに対応して、左右原稿台の角度を調整することによって、開き難い綴じ物は開き角度をより小さくすることができ、損傷し易い綴じ部は無理に開くことなく保護することができる。また、綴本原稿を無理なく力をかけないで開いて合わせるため、複写作業の能率を一層向上することができる。また、開き易い綴本、中折れ部に文字などがない綴本、平坦な原稿などを通常に複写する際には、左右原稿台を水平な原稿台に設定し通常の光路にして複写することもできる。
また、厚手の綴本原稿が中央綴じ部近傍の中折れ部を含めて原稿台表面に密着するため、綴本の中央綴じ部を損傷することなく、中央綴じ部近傍の中折れ部も均一で鮮明な複写面を得ることができる。また、左右原稿台の中央山形部に綴本原稿の開いた中央部を一致させるので、相互の中央部の位置合わせが容易で、綴本原稿の自重を利用でき、開いたり押えたりする力も無理がないため、複写作業の能率を向上することができる。また、複写機の機構や構造も簡単で、経済的な複写機となる。
【００１７】
【図面の簡単な説明】
【図１】  この発明に係る綴本用複写機の実施形態例を示す側面説明図である。
【図２】  この発明の実施形態例の複写工程を示す説明図である。
【図３】  この発明に係る綴本用複写機の実施形態例を示す側面説明図である。
【図４】  原稿載せ台を使用した比較例を示す一部を欠除した側面説明図である。
【図５】  従来一般の複写機の事例を示す説明図である。
【符号の説明】
１  原稿台                          １Ａ  右原稿台
１Ｂ  左原稿台                      ２  中央部
３  綴本原稿                        ４  中折れ部
５  被複写面                        ５Ａ  右被複写面
５Ｂ  左被複写面                    ６  光源
７Ａ  右第１反射鏡                  ７Ｂ  左第１反射鏡
８Ａ  右第２反射鏡                  ８Ｂ  左第２反射鏡
９Ａ  右第３反射鏡                  ９Ｂ  左第３反射鏡
１０Ａ  右第４反射鏡                １０Ｂ  左第４反射鏡
１１  感光体ドラム                  １２Ａ，Ｂ  複写像
１３  原稿載せ台                    １４Ａ，Ｂ  原稿載せ面
１５  中央山部                      １６  設置部
１７  空間部
２０  記録紙                        ２１  原稿台
２２  浮き上がり部                  ２３  綴本原稿
２４  中折れ部                      ２５  被複写面
２５Ａ，ａ，Ｂ，ｂ  被複写面        ２６  光源
２７  第１反射鏡                    ２８  第２反射鏡
２９  第３反射鏡                    ３０  記録紙
３１  感光体ドラム                  ３２Ａ，ａ，Ｂ，ｂ  複写像
【図１】
0003978925.tif 000002
【図２】
0003978925.tif 000003
【図３】
0003978925.tif 000004
【図４】
0003978925.tif 000005
【図５】
0003978925.tif 000006